(57)【要約】【課題】  ビデオフォーマット変換を有するタイミング制御部のための方法が提供される。【解決手段】方法は、２次元（２Ｄ）又は３次元（３Ｄ）ディスプレイモードを示す制御信号を受信するステップ、制御信号に応答して、ディスプレイパネルモジュールとディスプレイ制御ユニットとの間に結合されたタイミング制御部により、２Ｄ又は３Ｄ出力ビデオ信号を出力するステップ、を有する。出力するステップは、２Ｄディスプレイモードを示す制御信号に応答して、２Ｄ出力ビデオ信号を出力するステップ、３Ｄディスプレイモードを示す制御信号に応答して、３Ｄデータフォーマット変換ユニットにより、３Ｄ出力ビデオ信号を出力するステップ、を有する。【選択図】  図１
2013097379.tif 000002
【特許請求の範囲】
【請求項１】
２次元（２Ｄ）ディスプレイモードと３次元（３Ｄ）ディスプレイモードとを備えたディスプレイシステムであって、
ビデオソースを受信し、入力信号としてデジタルビデオ信号を生成し、制御信号を出力するディスプレイ制御ユニットであって、前記制御信号は、前記２Ｄディスプレイモード又は前記３Ｄディスプレイモードを示す第１の制御信号を有する、ディスプレイ制御ユニット、
前記ディスプレイ制御ユニットに結合され、前記デジタルビデオ信号を受信し、２Ｄ出力ビデオ信号又は３Ｄ出力ビデオ信号を出力するタイミング制御ユニット、
を有し、
前記タイミング制御ユニットは、３Ｄデータフォーマット変換ユニットを有し、前記３Ｄディスプレイモードを示す前記第１の制御信号に応答して、前記３Ｄデータフォーマット変換ユニットにより前記３Ｄ出力ビデオ信号を出力する、ディスプレイシステム。
【請求項２】
前記３Ｄ出力ビデオ信号のフレームリフレッシュレートは、前記入力信号のフレームリフレッシュレートの少なくとも２倍である、請求項１に記載のディスプレイシステム。
【請求項３】
前記タイミング制御ユニットは、
入力端子、少なくとも１つの第１の出力端子及び少なくとも１つの第２の出力端子を備えた入力信号切り替えユニット、を有し、
前記入力信号切り替えユニットの前記第１の出力端子は、前記タイミング制御ユニットの出力端子に結合され、前記第２の出力端子は、前記３Ｄデータフォーマット変換ユニットに結合される、請求項１に記載のディスプレイシステム。
【請求項４】
前記制御信号は、第２の制御信号を更に有し、
前記第１の制御信号が前記２Ｄディスプレイモードを示すとき、前記入力信号切り替えユニットは、前記第１の出力端子から前記入力信号を出力し、前記第１の制御信号が前記３Ｄディスプレイモードを示すとき、前記入力信号切り替えユニットは、前記第２の制御信号に従って前記少なくとも１つの第２の出力端子から前記入力信号を出力し、前記３Ｄデータフォーマット変換ユニットは、３Ｄディスプレイのためのターゲットフォーマットを有する前記３Ｄ出力ビデオ信号を供給する、請求項３に記載のディスプレイシステム。
【請求項５】
前記タイミング制御ユニットは、
前記入力信号切り替えユニットに結合された制御ユニットであって、前記２Ｄディスプレイモードを示す前記第１の制御信号に応答して、前記入力信号切り替えユニットをイネーブルして前記第１の出力端子から前記入力信号を出力し、前記３Ｄディスプレイモードを示す前記第１の制御信号に応答して、前記入力信号切り替えユニットをイネーブルして前記少なくとも１つの第２の出力端子のうちの１つから前記入力信号を出力する、請求項４に記載のディスプレイシステム。
【請求項６】
前記ディスプレイシステムは、前記２Ｄディスプレイモード及び前記３Ｄディスプレイモードを有するディスプレイパネルモジュールを更に有し、前記タイミング制御ユニットは、前記ディスプレイパネルモジュールと前記ディスプレイ制御ユニットとの間に結合され、前記制御信号に応答して、前記２Ｄ出力ビデオ信号又は前記３Ｄ出力ビデオ信号を２Ｄ表示又は３Ｄ表示のために前記ディスプレイパネルモジュールに出力する、請求項１乃至５のいずれか一項に記載のディスプレイシステム。
【請求項７】
ビデオフォーマット変換を有するタイミング制御部であって、２Ｄディスプレイモードと３Ｄディスプレイモードとを有するディスプレイパネルで用いられ、
入力端子、少なくとも１つの第１の出力端子及び少なくとも１つの第２の出力端子を備えた入力信号切り替えユニットであて、前記入力信号切り替えユニットの前記第１の出力端子は、前記タイミング制御部の出力端子に結合される、入力信号切り替えユニット、
前記入力信号切り替えユニットの前記少なくとも１つの第２の出力端子と前記タイミング制御部の前記出力端子との間に結合された３Ｄデータフォーマット変換ユニット、
を有し、
前記入力信号切り替えユニットは、制御信号を受信し、前記制御信号は、２Ｄディスプレイモード又は３Ｄディスプレイモードを示す第１の制御信号を有し、前記第１の制御信号が前記２Ｄディスプレイモードを示すとき、前記入力信号切り替えユニットは、前記第１の出力端子から入力信号を出力し、前記第１の制御信号が前記３Ｄディスプレイモードを示すとき、前記入力信号切り替えユニットは、前記少なくとも１つの第２の出力端子から前記３Ｄデータフォーマット変換ユニットへ前記入力信号を出力する、タイミング制御部。
【請求項８】
前記制御信号は、第２の制御信号を更に有し、前記第１の制御信号が前記３Ｄディスプレイモードを示すとき、前記入力信号切り替えユニットは、前記第２の制御信号に従って、前記少なくとも１つの第２の出力端子のうちの１つから前記入力信号を出力する、請求項７に記載のタイミング制御部。
【請求項９】
前記タイミング制御部は、
前記入力信号切り替えユニットに結合された制御ユニットであって、前記２Ｄディスプレイモードを示す前記第１の制御信号に応答して、前記入力信号切り替えユニットをイネーブルして前記第１の出力端子から前記入力信号を出力し、前記３Ｄディスプレイモードを示す前記第１の制御信号に応答して、前記入力信号切り替えユニットをイネーブルして前記少なくとも１つの第２の出力端子のうちの１つから前記入力信号を出力する、請求項８に記載のタイミング制御部。
【請求項１０】
前記３Ｄデータフォーマット変換ユニットは、
前記少なくとも１つの第２の出力端子のうちの１つに結合され、第１のフォーマットを有する入力信号を受信し、第２のフォーマットを有する出力信号を３Ｄ出力信号として出力する第１の３Ｄフォーマット変換回路、
を有する、請求項７に記載のタイミング制御部。
【請求項１１】
前記３Ｄ出力信号のフレームリフレッシュレートは、前記入力信号のフレームリフレッシュレートの少なくとも２倍である、請求項１０に記載のタイミング制御部。
【請求項１２】
ディスプレイのタイミング制御ユニットであって、
請求項７乃至１１のいずれか一項に記載のタイミング制御部、
タイミング制御モジュール、
を有し、
前記タイミング制御部は、前記タイミング制御モジュールに配置され、前記タイミング制御モジュールは、タイミング制御信号及び２Ｄ又は３Ｄ出力信号を前記ディスプレイパネルに供給する、タイミング制御ユニット。
【請求項１３】
タイミング制御ユニットの方法であって、
制御信号を受信するステップであって、前記制御信号は、第１の制御信号と第２の制御信号を有し、前記第１の制御信号は２Ｄディスプレイモード又は３Ｄディスプレイモードを示す、ステップ、
前記制御信号に応答して、タイミング制御ユニットにより２Ｄ出力ビデオ信号又は３Ｄ出力ビデオ信号を出力するステップであって、前記タイミング制御ユニットは、ディスプレイパネルモジュールとディスプレイ制御ユニットとの間に結合される、ステップ、
を有し、
前記出力するステップは、
前記２Ｄディスプレイモードを示す前記第１の制御信号に応答して、前記２Ｄ出力ビデオ信号を出力するステップ、
前記３Ｄディスプレイモードを示す前記第１の制御信号に応答して、前記第２の制御信号に従って、３Ｄデータフォーマット変換ユニットにより前記３Ｄ出力ビデオ信号を出力するステップ、
を有する、方法。
【請求項１４】
前記３Ｄ出力ビデオ信号のフレームリフレッシュレートは、前記タイミング制御ユニットの入力信号のフレームリフレッシュレートの少なくとも２倍である、請求項１３に記載の方法。
【発明の詳細な説明】
【技術分野】
【０００１】
本発明は、概してタイミング制御部に関し、より詳細にはビデオフォーマット変換を有するタイミング制御部、その方法及びディスプレイシステムに関する。
【背景技術】
【０００２】
従来の液晶ディスプレイ（liquid  crystal  display：ＬＣＤ）システムは、システムボードとタイミング制御ボードを含む。システムボードは、ディスプレイシステムのフロントエンドコアであり、大々的に大規模集積回路に実装される。システムボード内の主処理装置は、システムオンチップ（system-on-chip：ＳｏＣ）であり、高解像度マルチメディアインタフェース（high  definition  multimedia  interface：ＨＤＭＩ）、ビデオデコーダ及びスケーラを含む種々のビデオインタフェースを、コアチップとして機能する集積されたチップに統合する。
【０００３】
現在のディスプレイ技術、例えば平面パネルディスプレイ技術は、２次元（２Ｄ）及び３次元（３Ｄ）ディスプレイシステムに分類できる。２Ｄ及び３Ｄディスプレイの要件を満たすディスプレイシステムを実現するために、従来のディスプレイシステムのシステムボードは、３Ｄディスプレイパネルの対象とするフォーマットに準拠するビデオ信号を提供するよう再設計する必要がある。システムボードは、対象とするフォーマットに準拠するタイミング制御ボードの一定の標準規格を更に満たし、タイミング制御ボードによりタイミング制御信号を３Ｄディスプレイパネルに供給して３Ｄを表示するために３Ｄディスプレイパネルを駆動できるようにする必要がある。
【０００４】
例えば、それぞれ面順次フォーマット及び走査線選択フォーマットに対応する２種類の３Ｄディスプレイパネルがある。したがって、２種類の３Ｄディスプレイパネルを利用して２種類のディスプレイシステムを実装するために、２つの異なるシステムボード回路を設ける必要がある。
【０００５】
その結果、ディスプレイシステム全体の構造は、複雑化し、製造するのに都合が悪く、３Ｄディスプレイシステム全体のコストは増大してしまう。しかしながら、コストの増大は、製造にとって悪いだけでなく、３Ｄディスプレイシステムの推進及び大衆の需要の妨げにもなる。
【発明の概要】
【発明が解決しようとする課題】
【０００６】
本発明は、ビデオフォーマット変換を有するタイミング制御部、タイミング制御部の方法及びディスプレイシステムに関する。３Ｄディスプレイシステムは、一実施形態によるビデオフォーマット変換を有するタイミング制御部を用いることにより実施でき、ディスプレイシステムのシステム回路の複雑性を低減する。
【課題を解決するための手段】
【０００７】
本発明の一態様によると、ディスプレイシステムが提供される。ディスプレイシステムは、ディスプレイ制御ユニット及びタイミング制御ユニットを有する。ディスプレイ制御ユニットは、ビデオソースを受信し、デジタルビデオ信号を生成し、制御信号を出力する。制御信号は、２Ｄディスプレイモード又は３Ｄディスプレイモードを示す第１の制御信号を有する。タイミング制御ユニットは、ディスプレイ制御ユニットに結合され、デジタルビデオ信号を受信し、制御信号に応答して２Ｄ出力ビデオ信号又は３Ｄ出力ビデオ信号を出力する。タイミング制御ユニットは、３Ｄデータフォーマット変換ユニットを有し、３Ｄディスプレイモードを示す第１の制御信号に応答して、３Ｄデータフォーマット変換ユニットにより３Ｄ出力ビデオ信号を出力する。
【０００８】
本発明の別の態様によると、ビデオフォーマット変換を有するタイミング制御部が提供される。タイミング制御部は、２Ｄディスプレイモード及び３Ｄディスプレイモードを有するディスプレイパネルで用いられる。タイミング制御部は、入力信号切り替えユニット及び３Ｄデータフォーマット変換ユニットを有する。入力信号切り替えユニットは、入力端子、少なくとも１つの第１の出力端子及び少なくとも１つの第２の出力端子を有する。入力信号切り替えユニットの第１の出力端子は、タイミング制御部の出力端子に結合される。３Ｄデータフォーマット変換ユニットは、入力信号切り替えユニットの少なくとも１つの第２の出力端子とタイミング制御部の出力端子との間に結合される。入力信号切り替えユニットは、制御信号を受信する。制御信号は、２Ｄディスプレイモード又は３Ｄディスプレイモードを示す第１の制御信号を有する。第１の制御信号が２Ｄディスプレイモードを示すとき、入力信号切り替えユニットは、第１の出力端子から入力信号を出力する。第１の制御信号が３Ｄディスプレイモードを示すとき、入力信号切り替えユニットは、表示のために、少なくとも１つの第２の出力端子から３Ｄデータフォーマット変換ユニットへ入力信号を出力する。
【０００９】
本発明の別の態様によると、ディスプレイのタイミング制御ユニットが提供される。タイミング制御ユニットは、前述のタイミング制御部及びタイミング制御モジュールを有する。タイミング制御部は、タイミング制御モジュールに配置される。タイミング制御モジュールは、タイミング制御信号及び３Ｄ出力信号をディスプレイパネルへ供給する。
【００１０】
本発明の更に別の態様によると、タイミング制御ユニットの方法が提供される。方法は以下のステップを有する。制御信号が受信される。第１の制御信号は、２Ｄディスプレイモード又は３Ｄディスプレイモードを示す。制御信号に応答して、２Ｄ出力ビデオ信号又は３Ｄ出力ビデオ信号は、タイミング制御ユニットにより出力される。タイミング制御ユニットは、ディスプレイパネルモジュールとディスプレイ制御ユニットとの間に結合される。２Ｄ又は３Ｄ出力ビデオ信号を出力するステップは、以下のステップを有する。２Ｄディスプレイモードを示す第１の制御信号に応答して、２Ｄ出力ビデオ信号が出力され、３Ｄディスプレイモードを示す第１の制御信号に応答して、第２の制御信号に従って３Ｄデータフォーマット変換ユニットにより３Ｄ出力ビデオ信号が出力される。
【００１１】
本発明の上述の及び他の態様は、以下の好適であるが限定的でない実施形態の詳細な説明を読むことで良好に理解される。添付の図面を参照して以下に説明する。
【図面の簡単な説明】
【００１２】
【図１】一実施形態によるデータフォーマット変換を有するタイミング制御部を用いたディスプレイシステムのブロック図を示す。
【図２】一実施形態によるタイミング制御部のブロック図を示す。
【図３Ａ】入力信号切り替えユニットと３Ｄデータフォーマット変換ユニットとの間の結合関係を説明する図である。
【図３Ｂ】一実施形態による３Ｄデータフォーマット変換ユニットの結合関係のブロック図を示す。
【図４】一実施形態による２Ｄ及び３Ｄディスプレイモードを有するタイミング制御部の方法のフローチャートである。
【発明を実施するための形態】
【００１３】
タイミング制御部、その方法及びディスプレイシステムの実施形態を以下に説明する。一実施形態では、ビデオフォーマット変換を有するタイミング制御部のためのディスプレイシステムが提供される。３Ｄモードでは、タイミング制御部は、制御信号に応答して、ソースフォーマットを有する入力信号を受信し、ターゲットフォーマットを有する３Ｄ出力ビデオ信号を出力する。したがって、３Ｄモードに関しては、タイミング制御部は、異なるソースフォーマットの入力信号を受信し、ディスプレイモジュールのターゲットフォーマットに準拠した出力ビデオ信号を出力できる。よって、タイミング制御部を用いて３Ｄディスプレイシステムを実装すれば、そのシステム回路の複雑さを低減できる。例えば、ディスプレイパネル内のビデオ信号処理フロントエンドとして機能するが３Ｄディスプレイパネルの３Ｄディスプレイにより要求されるターゲットフォーマットに準拠しないディスプレイ制御ユニット（例えば、システムボード）は、本実施形態によるタイミング制御部を用いて、ターゲットフォーマットに準拠する３Ｄ出力ビデオ信号を提供し、３Ｄディスプレイパネルにより３Ｄディスプレイ効果を提示することができる。
【００１４】
図１は、一実施形態によるビデオフォーマット変換を有するタイミング制御部を用いたディスプレイシステムのブロック図を示す。３Ｄディスプレイシステムの構造１００が本実施形態に従って設けられる。ディスプレイシステム１０、例えば、３Ｄ  ＬＣＤ又はテレビジョンのようなシャッタグラス又はパターン抑制（retarder）技術に基づく３Ｄ  ＬＣＤシステムは、２Ｄモード及び３Ｄモードを有し、ビデオフォーマット変換を有するタイミング制御部の構造１００に基づき実現できる。構造１００は、ディスプレイ制御ユニット１１０及びタイミング制御ユニット１２０を有する。ディスプレイ制御ユニット１１０は、ビデオソースＶＳを受信し、デジタルビデオ信号Ｖ１を生成し、制御信号を出力する。制御信号は、第１の制御信号Ｓ１及び第２の制御信号Ｓ２を有する。第１の制御信号Ｓ１は、２Ｄディスプレイモード又は３Ｄディスプレイモードを示す。第２の制御信号Ｓ２は、フォーマット変換要求を示し、例えば、３Ｄビデオ信号をあるフォーマットから別のフォーマットに変換する要求を示し、デジタルビデオ信号のソースフォーマットを示し、又は［１，０］のような変換要求を表すコードを示す（つまり、タイプ１のソースフォーマットからタイプ０のターゲットフォーマットへの変換）。タイミング制御ユニット１２０は、ディスプレイ制御ユニット１１０に結合され、デジタルビデオ信号Ｖ１を受信し、制御信号に応答して２Ｄ又は３Ｄ出力ビデオ信号を出力する。
【００１５】
２Ｄディスプレイモードを示す第１の制御信号Ｓ１に応答して、タイミング制御ユニット１２０は、２Ｄディスプレイのための２Ｄ出力ビデオ信号を出力する。例えば、タイミング制御ユニット１２０は、第１の制御信号Ｓ１に従って２Ｄディスプレイモード及び３Ｄディスプレイモードを検出するために実装される。２Ｄディスプレイモードが決定されると（例えば、第１の制御信号Ｓ１がＬｏｗレベルであるとき）、タイミング制御ユニット１２０は、ディスプレイ制御ユニット１１０により供給されたＬＶＤＳ（low-voltage  differential  signaling）ピクセルデータをデジタルビデオ信号、例えばｍｉｎｉ−ＬＶＤＳ又はＲＳＤＳ（reduce  swing  differential  signaling）信号に変換し、パネルのデータドライバを駆動し、ディスプレイパネルモジュール１９０、例えば３Ｄ  ＴＦＴ−ＬＣＤパネルで２Ｄ画像を表示できるようにする。
【００１６】
３Ｄディスプレイモードを示す第１の制御信号Ｓ１及び第２の制御信号Ｓ２に応答して、タイミング制御ユニット１２０は、３Ｄディスプレイモードで表示するための３Ｄ出力ビデオ信号を出力する。デジタルビデオ信号Ｖ１はソースフォーマットを有し、３Ｄ出力ビデオ信号Ｖ２はターゲットフォーマットを有する。例えば、タイミング制御ユニット１２０により３Ｄディスプレイモードが決定されたとき（例えば、第１の制御信号Ｓ１がＨｉｇｈレベルである）、タイミング制御ユニット１２０は、３Ｄフォーマット変換を実行し、第２の制御信号Ｓ２に従って、ディスプレイ制御ユニット１１０により供給されたＬＶＤＳピクセルデータをデジタルビデオ信号に変換し、ディスプレイパネルモジュール１９０、例えば３ＤＴＦＴ−ＬＣＤパネルに３Ｄ画像を表示できるようにする。第２の制御信号Ｓ２の指示に従って、タイミング制御ユニット１２０は、ソースフォーマットをターゲットフォーマットに変換する。例えば、ソースフォーマットは、サイドバイサイド、トップダウン、又はフレームパッキング３Ｄフォーマットである。例えば、ターゲットフォーマットは、面順次３Ｄフォーマット及び走査線選択３Ｄフォーマットである。代替の実施形態では、タイミング制御ユニット１２０は、３Ｄデータフォーマット変換ユニットを有する（図２に示される）。３Ｄディスプレイモードを示す第１の制御信号Ｓ１に応答して、タイミング制御ユニット１２０は、３Ｄデータフォーマット変換ユニットにより３Ｄ出力ビデオ信号を出力する。例えば、３Ｄデータフォーマット変換ユニットは、デジタルビデオ信号をディスプレイパネルモジュールによりサポートされるターゲットフォーマットを有する３Ｄ出力信号に変換する。
【００１７】
本実施形態によると、構造１００を実装したディスプレイシステム１０、例えばシャッタグラス又はパターン抑制技術に基づく３Ｄ  ＬＣＤ又はテレビジョンのような３Ｄ  ＬＣＤシステムは、システムの回路の複雑性を低減できる。
【００１８】
代替の実施形態では、図１のディスプレイのタイミング制御ユニット１２０は、タイミング制御モジュール及びタイミング制御部を含むよう実装されてもよい。例えば、ビデオフォーマット変換を有するタイミング制御部は、集積回路として実装されてもよい。タイミング制御モジュールは、回路基板、例えばＴＣＯＮ基板として実装されてもよい。タイミング制御部は、タイミング制御モジュールに配置され、タイミング制御信号及び２Ｄ又は３Ｄ出力ビデオ信号をディスプレイパネルモジュール１９０に供給してもよい。タイミング制御ユニット１２０は、実質的に、ディスプレイ制御ユニット１１０とディスプレイパネルモジュール１９０との間のビデオ伝送のためのインタフェース及び制御である、さらに、タイミング制御ユニット１２０は、ディスプレイパネル１９０を駆動するための他の回路、例えばガンマ補正要素又は電力部品を含み得る。当業者は、実際の要件に従ってディスプレイパネル１９０を実装できるので、実装は上述の例に限定されない。
【００１９】
図２は、一実施形態によるタイミング制御部のブロック図を示す。本実施形態では、タイミング制御部は、入力信号切り替えユニット２１０及び３Ｄデータフォーマット変換ユニット２２０を有する。入力信号切り替えユニット２１０は、入力端子Ｎ１、少なくとも１つの第１の出力端子Ｃ１及び少なくとも１つの第２の出力端子Ｃ２を有する。入力信号切り替えユニット２１０の第１の出力端子Ｃ１は、タイミング制御部２００の出力端子ＯＵＴに結合される。３Ｄデータフォーマット変換ユニット２２０は、入力信号切り替えユニット２１０の第２の出力端子Ｃ２とタイミング制御部２００の出力端子ＯＵＴとの間に結合される。第１の制御信号Ｓ１が２Ｄディスプレイモードを示すとき、入力信号切り替えユニット２１０は、第１の出力端子Ｃ１から入力信号Ｖ１を出力する。第１の制御信号Ｓ１が３Ｄディスプレイモードを示すとき、入力信号切り替えユニット２１０は、少なくとも１つの第２の出力端子Ｃ２のうちの１つから入力信号Ｖ１を出力し、３Ｄデータフォーマット変換ユニット２２０は３Ｄディスプレイのために３Ｄ出力ビデオ信号を供給する。
【００２０】
例えば、入力信号切り替えユニット２１０は、制御信号を受信する。制御信号は、２Ｄディスプレイモード又は３Ｄディスプレイモードを示す第１の制御信号を有する。第１の制御信号が３Ｄディスプレイモードを示すとき、入力信号切り替えユニット２１０は、少なくとも１つの第２の出力端子Ｃ２から３Ｄデータフォーマット変換ユニット２２０へ入力信号を出力する。別の実施形態では、制御信号は、第２の制御信号を更に有する。第１の制御信号が３Ｄディスプレイモードを示すとき、入力信号切り替えユニット２１０は、第２の制御信号に従って、少なくとも１つの第２の出力端子Ｃ２のうちの１つから入力信号を出力する。入力信号切り替えユニット２１０の第２の出力端子Ｃ２の数は、１又は複数であってよい。入力信号切り替えユニット２１０の少なくとも１つの第２の出力端子Ｃ２は、３Ｄデータフォーマット変換ユニット２２０に結合され、３Ｄディスプレイモードでの３Ｄフォーマット変換のために出力ビデオ信号を出力する。
【００２１】
一実施形態を示す図３Ａを参照すると、第１の制御信号Ｓ１が３Ｄディスプレイモードを示すとき、入力信号切り替えユニット２１０は、複数の第２の出力端子のうちの対応する１つ、例えばＣ２１、Ｃ２２、Ｃ２３及びＣ２４から、入力信号Ｖ１を出力する。この対応する１つは、フォーマット変換要求に対応する（例えば、第２の制御信号Ｃ２により示された）第２の出力端子である。言い換えると、図３Ａの実施形態では、複数のデータチャネルが入力信号切り替えユニット３１０と３Ｄデータフォーマット変換ユニット３２０との間に存在し、各チャネルはフォーマット変換処理に対応する。
【００２２】
図３Ｂを参照すると、一実施形態では、３Ｄデータフォーマット変換ユニット３２０は、第１の３Ｄフォーマット変換回路３２１及び第２の３Ｄフォーマット変換回路３２２を有する。第１の３Ｄフォーマット変換回路３２１は、複数の第２の出力端子のうちの１つに結合され、第１のソースフォーマット（例えば、サイドバイサイドフォーマット）を有する入力信号を受信し、第１のターゲットフォーマットを有する出力信号を３Ｄ出力信号Ｖ２として、例えば第１のターゲットフォーマット（例えば、面順次フォーマット）での３Ｄディスプレイをサポートしているディスプレイ装置のために出力する。第２の３Ｄフォーマット変換回路３２２は、第２の出力端子のうちの別の１つに結合され、第２のソースフォーマット（例えば、トップダウンフォーマット）を有する入力信号を受信し、第１のターゲットフォーマットを有する出力信号を３Ｄ出力信号Ｖ２として出力する。一実施形態では、３Ｄフォーマット変換回路は、ソースフォーマット及びターゲットフォーマットのフォーマット要件に従って実装される。例えば、ソースフォーマットは、１０８０ｉ＠５０／６０Ｈｚを要求するサイドバイサイドフォーマットであり、ターゲットフォーマットは面順次フォーマットである。面順次信号は、最高解像度の画像を速度１２０フレーム毎秒で送信し、フレームは１枚ごとに交互になっている。つまり、ディスプレイ装置は、左目フレーム、右目フレーム、左目フレーム、右目フレーム、以下同様に順次受信する。したがって、３Ｄフォーマット変換回路は、回路ハードウェア又はプログラマブルプロセッサによりフォーマットの方式及び要件に従って実装されてもよい。
【００２３】
一実施形態では、３Ｄデータフォーマット変換ユニットは、サイドバイサイド、トップダウンフォーマット、フレームパッキングフォーマット又は走査線選択フォーマットのソースフォーマットを有する入力信号を、面順次フォーマットのターゲットフォーマットを有する出力ビデオ信号に変換するよう実装される。ターゲットフォーマットが３Ｄ面順次フォーマットであるとき、３Ｄ出力信号のフレームリフレッシュレート（例えば、１２０Ｈｚ）は、入力信号のフレームリフレッシュレートの少なくとも２倍である。一実施形態では、３Ｄデータフォーマット変換ユニットは、サイドバイサイド、トップダウンフォーマット、フレームパッキングフォーマット又は走査線選択フォーマットのソースフォーマットを有する入力信号を、走査線選択フォーマットのターゲットフォーマットを有する出力ビデオ信号に変換するよう実装される。更に別の実施形態では、３Ｄデータフォーマット変換ユニットは、上述の両方の実施形態を包含するよう実装され、ターゲットフォーマットを有する出力ビデオ信号を走査線選択フォーマット又は面順次フォーマットとして供給する。
【００２４】
一実施形態では、図１の入力信号切り替えユニット２１０は、１つの第２の出力端子Ｃ２を有するよう実現できる。この実施形態では、３Ｄデータフォーマット変換ユニット２２０は、図３Ｂに示されるように実装され、ビデオ信号切り替えのための追加回路を有し、第２の制御信号に従って変換の切り替えを実行してもよい。さらに、入力信号切り替えユニットの出力端子（又は入力端子）は、パラレル又はシリアルチャネルを表してもよく、図示されたものに限定されない。
【００２５】
一実施形態では、タイミング制御部２００は、制御信号を受信してモード制御及びフォーマット変換を実行する制御ユニット２３０を有する。一実施形態では、制御ユニット２３０は、入力信号切り替えユニット２１０に結合され、２Ｄディスプレイモードを示す制御信号（例えば、第１の制御信号Ｓ１）に応答して、入力信号Ｖ１を第１の出力端子Ｃ１から出力するよう入力信号切り替えユニット２１０に通知し又はこれをイネーブルする。また、３Ｄディスプレイモードを示す制御信号（例えば、第１の制御信号Ｓ１）に応答して、制御ユニット２３０は、入力信号Ｖ１を少なくとも１つの第２の出力端子Ｃ２から出力するよう入力信号切り替えユニット２１０に通知し又はこれをイネーブルする。
【００２６】
一実施形態では、制御ユニット２３０は、モード制御インタフェース２３１及びフォーマット制御インタフェース２４０を有する。モード制御インタフェース２３１は、制御信号（例えば、第１の制御信号Ｓ１）を受信し、入力信号切り替えユニット２１０に２Ｄ又は３Ｄディスプレイモードの何れかに入るよう通知する。更に別の実施形態では、３Ｄディスプレイモードを示す制御信号に応答して、モード制御インタフェース２３１は、フォーマット制御インタフェース２４０に通知し又はこれを作動させる。フォーマット制御インタフェース２４０は、制御信号（例えば、第２の制御信号Ｓ２）を受信し、入力信号切り替えユニット２１０に所望のフォーマットの切り替えを実行するよう通知する。一実施形態では、フォーマット制御インタフェース２４０は、さらに、フォーマット制御インタフェース２４０とディスプレイ制御ユニット１１０との間のデータ伝送及び変換を管理する。一実施形態では、フォーマット制御インタフェース２４０は、デジタルインタフェース２４１及びデコーダ２４３を有する。例えば、デジタルインタフェース２４１は、デジタルインタフェースプロトコル、例えばＩ２Ｃ及びＳＰＩをサポートするハードウェアインタフェースにより実装される。デコーダ２４３は、デジタルインタフェース２４１により受信された制御信号を、入力信号切り替えユニット２１０に３Ｄフォーマット変換を実行するよう通知するためのデータ、要求又はコマンドにデコードする。上述のプロトコルは、種々の定義を有し得る。例えば、２ビット、４ビット又は他のデータフォーマットが、フォーマット変換を定めるために用いられる。例えば、０００１、００１０、００１１及び０１００は、それぞれ、サイドバイサイド、トップダウンフォーマット、フレームパッキングフォーマット又は走査線選択フォーマットのソースフォーマットを表し、１０００及び１００１は、それぞれ、面順次フォーマット及び走査線選択フォーマットのターゲットフォーマットを表す。
【００２７】
制御ユニット２３０は、設定及び回路要件に従って実装され、上述の例に代わって他の定義が用いられ得る。例えば、第１の制御信号Ｓ１及び第２の制御信号Ｓ２は、１つの制御信号と見なされてもよく、又は１つの制御信号に統合されてもよい。別の例では、入力信号切り替えユニット２１０は、追加の制御ユニットを通じてではなく、制御信号を直接受信してもよい。別の例では、同じデジタルインタフェース（例えば、Ｉ２Ｃ又はＳＰＩ）が、制御信号を伝送し及びデコードするために用いられてもよい。
【００２８】
図２に基づく別の実施形態では、設計要件を満たすために、タイミング制御部２００は、タイミング制御部２００のフロントエンド又はリアエンド回路の入力／出力インタフェース要件に適合する入力インタフェース２８０及び出力インタフェース２９０を更に有する。例えば、入力インタフェース２８０はＬＶＳＤインタフェースに準拠し、出力インタフェース２９０はｍｉｎｉ−ＬＶＤＳ／ＲＳＤＳインタフェースに準拠して、パネルのデータドライバを駆動する。
【００２９】
別の実施形態では、制御信号（例えば、Ｓ１又はＳ２）は、入力信号切り替えユニット２１０の入力信号Ｖ１の信号ストリームに埋め込むことができる。例えば、制御信号は、入力信号Ｖ１の信号ストリーム内のヘッダとして埋め込まれる。
【００３０】
幾つかの実施形態では、タイミング制御ユニット１２０、入力信号切り替えユニット２１０又は３Ｄデータフォーマット変換ユニット２２０は、プロセッサ、デジタルシグナルプロセッサ、又はマイクロコントローラ、ＦＰＧＡ（field  programmable  gate  array）若しくはＡＳＩＣ（application  specific  integrated  circuit）のようなプログラマブル集積回路により実装できる。さらに、一例では、タイミング制御ユニット１２０は、集積回路として統合されるか又は他の回路と共にシステムオンチップに統合されてもよい。
【００３１】
図４は、一実施形態による２Ｄ及び３Ｄディスプレイモードを有するタイミング制御部の方法のフローチャートである。方法は以下のステップを有する。ステップＳ４１０で、制御信号が受信される。制御信号は、第１の制御信号及び第２の制御信号を有する。第１の制御信号は２Ｄディスプレイモード又は３Ｄディスプレイモードを示す。つまり、デジタルビデオ信号は２Ｄ又は３Ｄディスプレイモード信号である。例えば、第２の制御信号は、デジタルビデオ信号のソースフォーマットである。ステップＳ４３０で、制御信号に応答して、２Ｄ出力ビデオ信号又は３Ｄ出力ビデオ信号は、タイミング制御ユニットにより出力される。タイミング制御ユニットは、ディスプレイパネルモジュールとディスプレイ制御ユニットとの間に結合される。ステップＳ４３０は、ステップＳ４３１乃至Ｓ４３５を有する。ステップＳ４３１で、制御信号が２Ｄモードを示すか又は３Ｄモードを示すかが決定される。制御信号が２Ｄモードを示すとき、ステップＳ４３３が実行される。ステップＳ４３３で、２Ｄ出力ビデオ信号は、２Ｄディスプレイモードを示す第１の制御信号に応答して出力される。つまり、２Ｄ出力ビデオ信号は、ディスプレイパネルモジュールに出力される。制御信号が３Ｄモードを示すとき、ステップＳ４３５が実行される。ステップＳ４３５で、３Ｄディスプレイモードを示す第１の制御信号に応答して、第２の制御信号に従って３Ｄ出力ビデオ信号を出力するために３Ｄデータフォーマット変換が実行され、例えば３Ｄ出力ビデオ信号を３Ｄデータフォーマット変換ユニットにより出力する。例えば、３Ｄデータフォーマット変換ユニットは、デジタルビデオ信号をディスプレイパネルモジュールによりサポートされるターゲットフォーマットを有する３Ｄ出力信号に変換する。一実施形態では、第１の制御信号が３Ｄディスプレイモードを示すとき、制御信号は、ソースフォーマットを示す第２の制御信号を更に有する。別の実施形態では、第１の制御信号は２Ｄディスプレイモードを示し、第２の制御信号はソースフォーマットを示す必要がない。
【００３２】
上述の実施形態では、例えば、ターゲットフォーマットは、面順次フォーマット、走査線選択フォーマット又は他のフォーマットである。フォーマット変換要求は、第１のソースフォーマットを示してもよい。ターゲットフォーマット及びソースフォーマットの実施形態は、前述の実施形態の説明を参照することができ、ここでは省略する。
【００３３】
幾つかの実施形態によるタイミング制御部、タイミング制御部及びディスプレイシステムの方法は、上述された。ビデオフォーマット変換を有するタイミング制御部が、一実施形態により提供される。よって、タイミング制御部を用いた３Ｄディスプレイシステムの実装は、システムの回路の複雑さを低減できる。例えば、ディスプレイパネル内のビデオ信号処理フロントエンドとして機能するが３Ｄディスプレイパネルの３Ｄディスプレイにより要求されるターゲットフォーマットに準拠しないディスプレイ制御ユニット（例えば、システムボード）は、本実施形態によるタイミング制御部を用いて、ターゲットフォーマットに準拠する３Ｄ出力ビデオ信号を提供し、３Ｄディスプレイパネルにより３Ｄディスプレイ効果を提示することができる。
【００３４】
したがって、ディスプレイ又はテレビジョンのような３Ｄディスプレイシステムの製造者は、システムボードの回路の複雑性が低減され、全体のシステム構造を単純にできる。より具体的には、３Ｄ信号又はデータフォーマット変換を直接サポートできない従来のシステムボード（例えば、従来のＳｏＣ）でさえ、ビデオフォーマット変換を有するタイミング制御部を制御することが可能になり、それにより、表示用に３Ｄディスプレイパネルに適合した出力ビデオ信号を供給する。このようなアプローチは、３Ｄディスプレイシステムの製造に非常に都合が良く、ハードウェアコストの低減をもたらす。
【００３５】
本発明は例を用いて好適な実施形態の観点から説明されたが、本発明がこれらに限定されないことが理解されるべきである。反対に、種々の変形及び同様の構成及び手順を包含することを意図し、特許請求の範囲は、広義に解釈され、このような全ての変形及び同様の構成及び手順を包含するものである。
【符号の説明】
【００３６】
１０  ディスプレイシステム
１００  ３Ｄディスプレイシステムの構造
２００  タイミング制御部
２３０  制御ユニット
２４０  フォーマット制御インタフェース
１１０  ディスプレイ制御ユニット
１２０  タイミング制御ユニット
１９０  ディスプレイパネルモジュール
２１０  入力信号切り替えユニット
２２０  ３Ｄデータフォーマット変換ユニット
２８０  入力インタフェース
２９０  出力インタフェース
２３１  モード制御インタフェース
２４１  デジタルインタフェース
２４３  デコーダ
３１０  入力信号切り替えユニット
３２０  ３Ｄデータフォーマット変換ユニット
３２１  第１の３Ｄフォーマット変換回路
３２２  第２の３Ｄフォーマット変換回路
【図１】
2013097379.tif 000003
【図２】
2013097379.tif 000004
【図３Ａ】
2013097379.tif 000005
【図３Ｂ】
2013097379.tif 000006
【図４】
2013097379.tif 000007